(57)【要約】
【課題】簡易な閂片止めの機能を有する馬蹄錠を提供することを課題とする。
【解決手段】ケーシング１の内部に、弧状の閂片２と錠前突片３とが設けられ、閂片２の外周面に設けられた係止溝２１に対して付勢手段３２により付勢された錠前突片３の係合部３１が嵌合することにより施錠がなされ、上記嵌合を解除することにより開錠がなされるものであり、係止溝２１よりも閂片２の先端側寄りである、閂片２の外周面に引掛溝２２が形成されたものであり、錠前突片３の係合部３１と、付勢手段３２と、引掛溝２２とにより、人為的に脱出可能な係脱手段を構成し、この係脱手段は、人が閂片２をケーシング１から引き出す際の強さと同等以上の力が閂片２に加えられた際に、付勢手段３２の付勢力に抗して係合部３１が引掛溝２２から後退して係合が解除されるものであり、故障時などに、閂片２が自然にケーシング１の一端面１ａから引き出されることを防止する。
【選択図】　　　　　図１
0003099028.tif 000002
【実用新案登録請求の範囲】
【請求項１】
　両端面（１ａ，１ｂ）が開口されたケーシング（１）の内部に、閂片（２）と錠前突片（３）とが設けられたものであり、
　閂片（２）は弧状のもので、ケーシング（１）の内部を移動可能なものであり、
この閂片（２）の外周面には係止溝（２１）が設けられており、
　錠前突片（３）は、閂片（２）の外周面へ当接する方向に、付勢手段（３２）によって常時付勢されたものであり、
　閂片（２）の先端部が、ケーシング（１）の一端面（１ａ）から引き出され他端面（１ｂ）へ挿入されることにより、ケーシング（１）と閂片（２）とで閉じた環状部が形成され、この状態で、係止溝（２１）に対して錠前突片（３）の係合部（３１）が嵌合することにより、施錠がなされ、
上記嵌合を解除し、閂片（２）の先端部が、ケーシング（１）の一端面（１ａ）の側に引き戻されることにより開錠がなされるものであり、
　上記の係止溝（２１）よりも閂片（２）の先端側寄りである、閂片（２）の外周面に引掛溝（２２）が形成されたものであり、
錠前突片（３）の係合部（３１）と、付勢手段（３２）と、引掛溝（２２）とにより、人為的に脱出可能な係脱手段を構成し、
　この人為的に脱出可能な係脱手段は、人が閂片（２）をケーシング（１）から引き出す際の強さと同等以上の力が閂片（２）に加えられることにより、付勢手段（３２）の付勢力に抗して係合部（３１）が引掛溝（２２）から後退して係合が解除される係脱手段であり、
故障時などに、閂片（２）が自然にケーシング（１）の一端面（１ａ）から引き出されることを防止しつつも、人為的にケーシング（１）を引き出すことは可能なことを特徴とする馬蹄錠。
【請求項２】
　両端面（１ａ，１ｂ）が開口されたケーシング（１）の内部に、閂片（２）と錠前突片（３）とが設けられたものであり、
　閂片（２）は弧状のもので、ケーシング（１）の内部を移動可能なものであり、
この閂片（２）の外周面には係止溝（２１）が設けられており、
　錠前突片（３）は、閂片（２）の外周面へ当接する方向に、付勢手段（３２）によって常時付勢されたものであり、
　閂片（２）の先端部が、ケーシング（１）の一端面（１ａ）から引き出され他端面（１ｂ）へ挿入されることにより、ケーシング（１）と閂片（２）とで閉じた環状部が形成され、この状態で、係止溝（２１）に対して錠前突片（３）の係合部（３１）が嵌合することにより、施錠がなされ、
上記嵌合を解除し、閂片（２）の先端部が、ケーシング（１）の一端面（１ａ）の側に引き戻されることにより開錠がなされるものであり、
　上記の係止溝（２１）よりも閂片（２）の先端側寄りである、閂片（２）の外周面に引掛溝（２２）が形成されたものであり、
　この係合部（３１）と引掛溝（２２）とは、閂片（２）が引き出される方向に移動する際に互いに当接し合う当接部を備え、この当接部の少なくとも何れか一方が、閂片（２）の移動方向（Ｍ）に対して傾斜する傾斜当接部（２２ａ，３１ａ）とされることにより、所定の力で閂片（２）が引き出された際、付勢手段（３２）の付勢力に抗して係合部（３１）が引掛溝（２２）から後退して係合が解除されるものであることを特徴とする馬蹄錠。
【請求項３】
　引掛溝（２２）は、開錠時に閂片（２）がケーシング（１）に引き戻された状態において、錠前突片（３）の係合部（３１）に対して係合可能な位置に形成されたものであることを特徴とする、請求項２に記載の馬蹄錠。
【請求項４】
　係止溝（２１）における先端側に位置する、錠前突片（３）に対する当接面（２１ａ）が、閂片（２）の移動方向（Ｍ）に対し、９０度以下の角度（Ａ）を持って形成されたものであり、
　引掛溝（２２）における基端側に位置する、錠前突片（３）に対する当接面（２２ａ）が、閂片（２）の移動方向（Ｍ）に対し、１２０度以上１７０度以下の角度（Ｂ）を持って形成されたことを特徴とする、請求項１に記載の馬蹄錠。
【考案の詳細な説明】
【技術分野】
【０００１】
　本願考案は、自転車用の馬蹄錠に関するものである。
【背景技術】
【０００２】
　馬蹄錠は、自転車の主に後側フォークに取り付けられ、駐輪時に後輪のスポーク間に閂片を通して係止することにより施錠を行うもので、広く用いられているものである。
　この馬蹄錠は、図５に示すようなものであり、両端面１０１ａ，１０１ｂが開口されたケーシング１０１の内部に、ばね１０５によって付勢された、弧状の閂片１０２が弧に沿うように移動可能に設けられたものである。ケーシング１０１は、閂片１０２が収納される部分は円環状となっており、その一部が外側に広げられて、閂片を固定するための錠前部１０３が設けられている。
　施錠時には、閂片１０２の先端部が、ケーシング１０１の一端面１０１ａから引き出され他端面１０１ｂへ挿入される。これにより、ケーシング１０１と閂片１０２とで閉じた環状部が形成される。自転車の車輪を挟んでこの環状部が形成されることにより、閂片１０２が車輪のスポーク同士の間を通り、車輪が回動不能の状態におかれる。
　又、錠前部１０３を操作することにより、閂片１０２の先端部が、ケーシング１０１の一端面１０１ａの側の内部に引き戻される。これにより、上記の状態は解除されて開錠される。
　上記の閂片１０２を操作するために、閂片１０２にはつまみ１０４が設けられており、ケーシング１０１には、つまみ１０４をケーシング１０１上にて通過させるためのスリット１０１ｃが設けられている。
【０００３】
　図５に示したものよりも、更に従来における馬蹄錠では、つまみ１０４が閂片１０２に対し固定されているものであったため、つまみ１０４に物が当たったりすることが原因で、つまみ１０４が移動し、それに伴い閂片１０２がケーシング１０１から引き出されることにより、閂片１０２が車輪（スポーク）に引っ掛かる事故が起こることがあった。これは自転車の走行中に起こると深刻な事故となる可能性があった。
【０００４】
　上記のことを防止することを目的として、閂片止めの機能として、つまみ１０４の下部にストッパー１０４ａを設けておき、かつ、つまみ１０４を閂片１０２との接続部分を中心として回動可能な構造にした馬蹄錠が存在する。図５は、このタイプの馬蹄錠を示すものである。
　この構造では、つまみ１０４を操作しない時には、つまみ１０４内部のばね（図示しない）の付勢により、ストッパー１０４ａがスリット１０１ｃに位置し、つまみ１０４に外力が働いても、スリット１０１ｃに設けられた係合部１０１ｄに当たり、閂片１０２を引き出す方向には移動できないようになっている。そして施錠時に、閂片１０２をケーシング１０１から引き出す時には、つまみ１０４を方向Ａに回転させることにより、ストッパー１０４ａの位置をスリット１０１ｃから外し、閂片１０２を方向Ｂに操作可能にするものである。つまり、二動作により閂片１０２を操作を行うものである。
　このような閂片止めの機能を設けることにより、上記のように、外力により不意につまみ１０４が移動して、閂片１０２がケーシング１０１から引き出される事故を招く可能性は少なくできる。
【考案の開示】
【考案が解決しようとする課題】
【０００５】
　しかしながら、上記の馬蹄錠においては、上記の閂片止めの機能を設けるために、ストッパー１０４ａをつまみ１０４に設け、かつつまみ１０４を回動可能にし、また、ケーシング１０１のスリット１０１ｃに係合部１０１ｄを設ける必要があって、その分、馬蹄錠の製造コストが上昇する。これは、図５に示した以外の閂片止めの機能を有する馬蹄錠においても同様である。
　しかし、製造コスト削減の要請が強い現在では、例えばケーシング内に設けられたばね１０５に不具合が発生することにより、閂片１０２が勝手に引き出されてしまう事故を防止できる程度の、簡易な閂片止めの機能を有する馬蹄錠でも充分な場合がある。
　図６，図７にその事故の例を示す。図６は、閂片１０２をばね１０５の圧縮方向に付勢するもの（引きばね）であり、（Ａ）は通常の施錠状態、（Ｂ）は通常の開錠状態である。そして、（Ｃ）はばね１０５が伸びてしまった場合、（Ｄ）はばね１０５が切れてしまった場合、（Ｅ）はばね１０５がケーシング１０１から外れてしまった場合で、これらはそれぞれ開錠時にもかかわらず、閂片１０２が重力によって、自然にケーシング１０１の外部に引き出されてしまった場合である。
　図７は、閂片１０２をばね１０５の伸長方向に付勢するもの（押しばねあるいは圧縮ばね）であり、（Ａ）は通常の施錠状態、（Ｂ）は通常の開錠状態、（Ｃ）はばね１０５の伸びが甘くなってしまい、開錠時にもかかわらず、閂片１０２が重力によって、自然にケーシング１０１の外部に引き出されてしまった場合である。
【０００６】
　本願考案はこのことに鑑み、簡易な閂片止めの機能を有する馬蹄錠を提供することを課題とする。
【課題を解決するための手段】
【０００７】
　上記課題を解決するために、本願第１の考案は、両端面１ａ，１ｂが開口されたケーシング１の内部に、閂片２と錠前突片３とが設けられたものであり、閂片２は弧状のもので、ケーシング１の内部を移動可能なものであり、この閂片２の外周面には係止溝２１が設けられており、錠前突片３は、閂片２の外周面へ当接する方向に、付勢手段３２によって常時付勢されたものであり、閂片２の先端部が、ケーシング１の一端面１ａから引き出され他端面１ｂへ挿入されることにより、ケーシング１と閂片２とで閉じた環状部が形成され、この状態で、係止溝２１に対して錠前突片３の係合部３１が嵌合することにより、施錠がなされ、上記嵌合を解除し、閂片２の先端部が、ケーシング１の一端面１ａの側に引き戻されることにより開錠がなされるものであり、上記の係止溝２１よりも閂片２の先端側寄りである、閂片２の外周面に引掛溝２２が形成されたものであり、錠前突片３の係合部３１と、付勢手段３２と、引掛溝２２とにより、人為的に脱出可能な係脱手段を構成し、この人為的に脱出可能な係脱手段は、人が閂片２をケーシング１から引き出す際の強さと同等以上の力が閂片２に加えられることにより、付勢手段３２の付勢力に抗して係合部３１が引掛溝２２から後退して係合が解除される係脱手段であり、故障時などに、閂片２が自然にケーシング１の一端面１ａから引き出されることを防止しつつも、人為的にケーシング１を引き出すことは可能なことを特徴とする馬蹄錠を提供する。
【０００８】
　また、本願第２の考案は、両端面１ａ，１ｂが開口されたケーシング１の内部に、閂片２と錠前突片３とが設けられたものであり、閂片２は弧状のもので、ケーシング１の内部を移動可能なものであり、この閂片２の外周面には係止溝２１が設けられており、錠前突片３は、閂片２の外周面へ当接する方向に、付勢手段３２によって常時付勢されたものであり、閂片２の先端部が、ケーシング１の一端面１ａから引き出され他端面１ｂへ挿入されることにより、ケーシング１と閂片２とで閉じた環状部が形成され、この状態で、係止溝２１に対して錠前突片３の係合部３１が嵌合することにより、施錠がなされ、上記嵌合を解除し、閂片２の先端部が、ケーシング１の一端面１ａの側に引き戻されることにより開錠がなされるものであり、上記の係止溝２１よりも閂片２の先端側寄りである、閂片２の外周面に引掛溝２２が形成されたものであり、この係合部３１と引掛溝２２とは、閂片２が引き出される方向に移動する際に互いに当接し合う当接部を備え、この当接部の少なくとも何れか一方が、閂片２の移動方向Ｍに対して傾斜する傾斜当接部２２ａ，３１ａとされることにより、所定の力で閂片２が引き出された際、付勢手段３２の付勢力に抗して係合部３１が引掛溝２２から後退して係合が解除されるものであることを特徴とする馬蹄錠を提供する。
【０００９】
　また、本願第３の考案は、引掛溝２２は、開錠時に閂片２がケーシング１に引き戻された状態において、錠前突片３の係合部３１に対して係合可能な位置に形成されたものであることを特徴とする、請求項２に記載の馬蹄錠を提供する。
【００１０】
　また、本願第４の考案は、係止溝２１における先端側に位置する、錠前突片３に対する当接面２１ａが、閂片２の移動方向Ｍに対し、９０度以下の角度Ａを持って形成されたものであり、引掛溝２２における基端側に位置する、錠前突片３に対する当接面２２ａが、閂片２の移動方向Ｍに対し、１２０度以上１７０度以下の角度Ｂを持って形成されたことを特徴とする、請求項１に記載の馬蹄錠を提供する。
【考案の効果】
【００１１】
　本願考案の実施にあっては、閂片２の外周面に引掛溝２２を形成し、この引掛溝２２が、錠前突片３の係合部３１に係合することにより、馬蹄錠の故障時などに、閂片２が自然にケーシング１の一端面１ａから引き出されることを防止することができ、簡易な閂片止めの機能を有する馬蹄錠を提供することができる。
【考案を実施するための最良の形態】
【００１２】
　以下、図面に基づき本願考案の実施の形態の実施例をとりあげて説明する。図１は、本例の馬蹄錠を示す平面視の説明図であり、図２は、本例の馬蹄錠の動作を示す説明図である。
【００１３】
　本願考案に係る馬蹄錠の基本的な構造は従来のものと同じであり、図１に示すように、両端面１ａ，１ｂが開口されたケーシング１の内部に、弧状の閂片２が移動可能に設けられたものである。ケーシング１は、閂片２が収納される部分は略円環状であり、その一部が外側に広げられて、閂片２を固定するための錠前突片３を内蔵した錠前部が設けられている。そして、閂片２を操作するために、閂片２の図示手前側にはつまみ４が設けられており、ケーシング１には、つまみ４をケーシング１上において移動させるためのスリット１ｃが設けられている。つまみ４は、本例においては樹脂製である。
　なお本願考案においては、つまみ４自体に閂片止めの機構を有しないものであるため、つまみ４には特に、スリット１ｃと係合させるための突起などは設けられていない。
【００１４】
　錠前突片３はケーシング１の内部において、ばねなどの付勢手段３２の付勢により、先端部３１が閂片２の外周部に常時当接するものであって、開錠時にのみ、錠前部に挿入された鍵片（図示しない）の回動操作により、先端部３１を閂片２の外周面に対して離反させることができる。
　錠前突片３の先端部３１は、後述のように係止溝２１及び引掛溝２２に配位されるものである。本例では、係止溝２１及び引掛溝２２を閂片２の外周面のうち、閂片２の移動方向Ｍと一致する、閂片２の有する弧の外側部分に形成したことに合わせて錠前突片３を形成しているが、係止溝２１及び引掛溝２２を弧の内側部分や、図１上における手前側や奥側の側面に設けた場合は、それに合わせた形態に変更して実施可能である。
【００１５】
　閂片２の外周部には、係止溝２１が設けられている。
　この係止溝２１は、本例の馬蹄錠においては、閂片２の外周部において、施錠時に錠前突片３と一致する位置に設けられた、図１に示すような切欠きであって、図２（Ｇ）（Ｈ）に示すように、この係止溝２１に先端部３１が嵌合し、係止溝２１における（閂片２の）先端側の当接面２１ａに、錠前突片３の先端部３１が当接することによって、閂片２をケーシング１から引き出して環状部を形成した状態で固定することができる。
　上記の当接面２１ａは、図３（Ａ）に示すように、閂片２の移動方向Ｍに対し、９０度以下の角度を持って形成されたものである。言い換えれば、当接面２１ａと、閂片２の外周面のうち係止溝２１の近傍における、閂片２の移動方向Ｍに沿う面２ａとの間の角度Ａが９０度以下になるような切欠としている。これにより、係止溝２１に嵌合した錠前突片３の先端部３１が外れることなく保持される。
　なお、本例においては、係止溝２１を閂片２の外周面のうち、閂片２の移動方向Ｍと一致する、閂片２の有する弧の外側部分に形成しているが、係止溝２１の形成される位置については、錠前突片３と合わせて種々に変更が可能であって、弧の内側部分や、図１上における手前側や奥側の側面に設けたものも、本願考案における係止溝２１に含まれるものである。
【００１６】
　また、本願考案における閂片２には、引掛溝２２が設けられている。この引掛溝２２と錠前突片３の先端部３１と付勢手段３２とにより人為的に脱出可能な係脱手段を構成する。この係脱手段は、先端部３１と引掛溝２２とが係合した状態において、人が閂片２をケーシング１から引き出す際の強さと同等以上の力が、つまみ４を介して閂片２に加えられることにより、付勢手段３２の付勢力に抗して、係合部３１が引掛溝２２から後退し、係合部３１と引掛溝２２との係合が解除されるものである（具体的な点は後述する）。
【００１７】
　この引掛溝２２は、本例の馬蹄錠においては図１に示すように、閂片２の外周部において、開錠時に錠前突片３と対応する位置に設けられた切欠きであって、係止溝２１よりも閂片２の先端側寄りに位置している。そして、図２（Ａ）（Ｂ）に示すように、この引掛溝２２に錠前突片３の先端部３１が配位される。
　引掛溝２２における（閂片２の）基端側に形成された当接面２２ａは、図３（Ｂ）に示すように、閂片２の移動方向Ｍに対し、１２０度以上１７０度以下の角度を持って形成されたものである。言い換えれば、閂片２の外周面のうち、引掛溝２２の近傍における、閂片２の移動方向Ｍに沿う面２ａとの間の角度Ｂが１２０度以上１７０度以下になるような切欠としている。そして、この引掛溝２２は、図３（Ｂ）に示すように、閂片２の外周面２ａからの深さＤ２が、図３（Ａ）に示す、係止溝２１における深さＤ１よりも浅く形成されている。
【００１８】
　上記のように引掛溝２２を形成することにより、引掛溝２２に錠前突片３の先端部３１が配位された状態で、当接面２２ａに先端部３１が引っ掛かることにより、先端部３１と引掛溝２２とが係合する。本例では、図３（Ｂ）に示すように、当接面２２ａが閂片２の移動方向Ｍに沿う面２ａに対して傾斜しているため、自然に閂片２がケーシング１から引き出されることを防止しつつも、上記のように閂片２を完全に固定する係止溝２１とは異なり、施錠のために人がつまみ４を通常の力で移動させることにより、閂片２２をケーシング１から容易に引き出すことができる。このつまみ４の移動の際には、図２（Ａ）（Ｂ）に示すように、引掛溝２２に配位されていた錠前突片３の先端部３１が、付勢手段３２の付勢力に抗しつつ、図２（Ｃ）（Ｄ）に示すように当接面２２ａに当接して移動する。そして、その後引掛溝２２を脱して、先端部３１と引掛溝２２の係合が解除され、図２（Ｅ）（Ｆ）に示すように、閂片２の外周面に当接して移動する。よって、引掛溝２２を形成しない場合に比べると、つまみ４の移動抵抗は、先端部３１が当接面２２ａに当接する際にやや大きくなるが、施錠動作に支障をきたすほどのものではない。
【００１９】
　なお、引掛溝２２と錠前突片３の形状については、上記に示した以外に種々に変更が可能であり、閂片２が引き出される方向に移動する際に互いに当接し合う当接部を備え、この当接部の少なくとも何れか一方が、閂片２の移動方向Ｍに対して傾斜する面２２ａ，３１ａを有し、所定の力で閂片２が引き出された際、付勢手段３２の付勢力に抗して係合部３１が引掛溝２２から後退して係合が解除されるものであれば良い。その例を図４に示す。
【００２０】
　図４（Ａ）に示すものは、当接面２２ａを曲面としたものである。図示したものは、図示上方に凸形とした曲面であるが、逆に凹形としても良い。
　図４（Ｂ）〜（Ｄ）に示すものは、引掛溝２２には上記のような傾斜した当接面２２ａを形成せず、逆に錠前突片３の先端部３１に傾斜部３１ａを形成したものである。図４（Ｂ）に示すものは、図示右側の角部に曲面である傾斜部３１ａを形成したもの、図４（Ｃ）に示すものは、図示下側の全面を平面の傾斜部３１ａとしたものである。
　なお、係止溝２１に対しては、錠前突片３の係止用側面３１ｂが係止溝２１の当接面２１ａに当接するため、錠前突片３が図４の各図に示した形状であっても、係止溝２１に対して問題なく嵌合できる。
　また、上記以外に、付勢手段３２のばね強度を、引掛溝２２から錠前突片３の先端部３１が脱出可能な程度に弱く設定しても良い。これは単独で実施しても良いし、また、上記のように、引掛溝２２の傾斜した当接面２２ａの形成や、錠前突片３の傾斜部３１ａの形成と共に実施しても良い。
【００２１】
　上記に説明した実施例によると、閂片２に引掛溝２２を形成するだけで、閂片止めの機能を有するものとできるため、製造コスト削減の要請が強い現在において、例えば図６や図７に示したように、ばね５に不具合が発生することにより、閂片２が勝手に引き出されてしまう事故を防止できる程度の、簡易な閂片止めの機能を有する馬蹄錠を提供することができる。
【図面の簡単な説明】
【００２２】
【図１】本願考案の実施例に係る馬蹄錠を示す平面視（一部切欠）の説明図である。
【図２】同馬蹄錠の動作を示す、全体の説明図と要部を拡大した説明図であり、（Ａ）（Ｂ）が開錠時、（Ｃ）〜（Ｆ）が施錠しつつある状態、（Ｇ）（Ｈ）が施錠時を示す。
【図３】（Ａ）が同馬蹄錠における係止溝を示す、要部を拡大した断面視の説明図であり、（Ｂ）が同馬蹄錠における引掛溝を示す、要部を拡大した断面視の説明図である。
【図４】（Ａ）〜（Ｄ）共、本願考案における、引掛溝と錠前突片の他の実施例を示す断面視の説明図である。
【図５】従来の馬蹄錠の一例を示す平面視の説明図である。
【図６】従来の馬蹄錠の一例を示す説明図であり、（Ａ）が施錠時、（Ｂ）が開錠時、（Ｃ）〜（Ｅ）が故障した場合の例を示す。
【図７】従来の馬蹄錠の他の例を示す説明図であり、（Ａ）が施錠時、（Ｂ）が開錠時、（Ｃ）が故障した場合の例を示す。
【符号の説明】
【００２３】
　　　１　　　　ケーシング
　　　１ａ　　　ケーシングの一端面
　　　１ｂ　　　ケーシングの他端面
　　　２　　　　閂片
　　　２１　　　係止溝
　　　２１ａ　　当接面（係止溝）
　　　２２　　　引掛溝
　　　２２ａ　　傾斜当接部、当接面（引掛溝）
　　　３　　　　錠前突片
　　　３１　　　係合部、先端部（錠前突片）
　　　３１ａ　　傾斜当接部、傾斜部（錠前突片）
　　　３２　　　付勢手段
　　　Ｍ　　　　閂片の移動方向
【図１】
0003099028.tif 000003
【図２】
0003099028.tif 000004
【図３】
0003099028.tif 000005
【図４】
0003099028.tif 000006
【図５】
0003099028.tif 000007
【図６】
0003099028.tif 000008
【図７】
0003099028.tif 000009